(57)【要約】【課題】回路基板の前後方向への意図しない移動を押えリブで規制しながら、正面側キャビネットと背面側キャビネットとを両面テープでしっかりと接着する。【解決手段】正面側キャビネット（7）と背面側キャビネット（9）との両面テープ（11）による接着時に、回路基板（35）を、同基板（35）に形成した逃がし部（53）が背面側キャビネット（9）に設けた押えリブ（51）に対応する位置に配置させることで押えリブ（51）と回路基板（35）との当接が回避されるように、且つ、これら両キャビネット（7,9）との接着後に、回路基板（35）を押えリブ（51）の突出端が当接する位置へスライドさせることで回路基板（35）の背面側への移動が押えリブ（51）で規制されるようにし、回路基板（35）をスライドさせた位置に固定する。【選択図】図２
2015103869.tif 000002
【特許請求の範囲】
【請求項１】
表示部が収容される正面側キャビネットと、該正面側キャビネットを背面側から覆って当該正面側キャビネットとの間に回路基板を収容する背面側キャビネットとが、これら両キャビネットの周縁部同士を両面テープで接着して固定された携帯端末であって、
前記正面側キャビネット及び背面側キャビネットのうち少なくとも一方のキャビネットには、前記回路基板側に突出し、突出端が前記回路基板に当接することで当該回路基板の前後方向への移動を規制する押えリブが設けられ、
前記回路基板は、前記押えリブを挿入可能なサイズの孔又は切欠きからなる逃がし部を有し、前記正面側キャビネットと前記背面側キャビネットとの両面テープによる接着時に、前記逃がし部への前記押えリブの挿入によって該押えリブと当該回路基板との当接が回避される当接回避位置に配置され、これら両キャビネットの接着後に、前記当接回避位置から前記押えリブで前後方向への移動が規制される移動規制位置にスライドさせて配置されている携帯端末。
【請求項２】
請求項１に記載された携帯端末において、
前記回路基板を前記当接回避位置から前記移動規制位置にスライドさせたときに、当該回路基板を前記移動規制位置で固定する基板固定手段をさらに備える携帯端末。
【請求項３】
請求項１又は２に記載された携帯端末において、
前記正面側キャビネット及び背面側キャビネットのうち少なくとも一方のキャビネットと前記回路基板との間には、前記回路基板側に突出した接続片を有し、該接続片の突出端が前記回路基板に当接する板バネ状の第１端子が設けられ、
前記第１端子は、前記接続片を前記回路基板のスライド方向に沿わせ、該接続片の突出端を前記回路基板のスライド方向前方に向けた状態で配置されている携帯端末。
【請求項４】
請求項１乃至３のいずれか１項に記載された携帯端末において、
前記回路基板のうち前記正面側キャビネット及び背面側キャビネットの少なくとも一方のキャビネット側には、当該キャビネット側に突出した接続片を有し、該接続片の突出端が当該キャビネットに設けられた導電部に当接する板バネ状の第２端子が実装され、
前記第２端子は、前記接続片を前記回路基板のスライド方向に沿わせ、該接続片の突出端を前記回路基板のスライド方向後方に向けた状態で配置されている携帯端末。
【請求項５】
請求項２に記載された携帯端末において、
前記正面側キャビネットは、金属板をインサート成形した樹脂成形品であり、
前記基板固定手段は、前記正面側キャビネットの金属板の一部を背面側に切り起こして形成された板バネ片であり、
前記板バネ片は、前記回路基板が前記当接回避位置に配置されているときに当該回路基板の前面に当接し、前記回路基板が前記移動規制位置に配置されているときに当該回路基板のうちスライド方向後方に臨む端面に当接する携帯端末。
【発明の詳細な説明】
【技術分野】
【０００１】
本発明は、筐体を構成する一対のキャビネット同士が両面テープで接着された携帯端末に関し、特に、これら一対のキャビネット間での回路基板の収容構造に関する。
【背景技術】
【０００２】
従来から、携帯電話機などの携帯端末は、表示部が収容される正面側キャビネットと、この正面側キャビネットを背面側から覆う背面側キャビネットとを突き合わせて固定した筐体の構造を有し、これら両キャビネットの間に、回路基板などの複数の電子部品を収容している。この種の携帯端末では、一般的に、地面や床に落としたりして衝撃を受けた際に、筐体内に収容した回路基板が前後方向へ移動しないように背面側キャビネットには回路基板側に突出する押えリブが設けられており、この押えリブの突出端を回路基板に当接させることで、回路基板の意図しない移動を規制する構造が採られている。
【０００３】
また、近年の携帯端末では、正面側キャビネットと背面側キャビネットとの間に水が浸入することを防止する防水構造を備えるものが一般的になってきている。携帯端末の防水構造としては、正面側キャビネットと背面側キャビネットとの外周縁部間に防水パッキンを挟み込んだ状態でこれら両キャビネット同士をビスで固定する構造と、防水性を有する両面テープで両キャビネットの外周縁部同士を接着する構造（例えば、特許文献１参照）とが知られている。これら２つの構造のうち後者の構造は、前者の構造に比べて携帯端末の小型化や薄型化、コストダウンなどの観点で有利であることから、製品への採用が増えており、市場にも投入され始めている。
【先行技術文献】
【特許文献】
【０００４】
【特許文献１】特開２０１３−８２８０６号公報
【発明の概要】
【発明が解決しようとする課題】
【０００５】
上述の両面テープを用いた防水構造を備える携帯端末では、正面側キャビネットと背面側キャビネットとに両面テープによる充分な接着効果を得るために、正面側キャビネットと背面側キャビネットとの接着時において、これら両キャビネットの接着部分で両面テープをしっかりと圧縮し押し潰す必要がある。しかし、背面側キャビネットに設けられた押えリブで回路基板の移動を規制する構造を採っていると、両面テープが圧縮されるのに先立ち押えリブが回路基板に当接して支えるため、両面テープを充分な接着効果を得られる程度にまで圧縮することができない。
【０００６】
さりとて、両面テープを確実に圧縮できるように押えリブを短くし、押えリブと回路基板との間に両面テープの圧縮量を考慮した隙間を設けると、押えリブと回路基板との間の隙間が大きくなり過ぎて押えリブによる回路基板の移動規制が不充分となってしまう。そうなると、回路基板の意図しない移動に起因して、回路基板に実装された回路部品の破壊や、回路基板に接続又は実装された端子の変形及びそれによる導通不良を招き兼ねない。
【０００７】
本発明は、斯かる点に鑑みてなされたものであり、その目的は、回路基板の前後方向への意図しない移動を押えリブで規制しながら、正面側キャビネットと背面側キャビネットとを両面テープでしっかりと接着することにある。
【課題を解決するための手段】
【０００８】
上記の目的を達成するために、この発明では、正面側キャビネットと背面側キャビネットとの接着時に押えリブと回路基板との当接を回避し、これら両キャビネットの接着後に回路基板の移動が押えリブで規制できるように回路基板の収容構造を工夫した。
【０００９】
具体的には、本発明は、表示部が収容される正面側キャビネットと、この正面側キャビネットを背面側から覆って当該正面側キャビネットとの間に回路基板を収容する背面側キャビネットとが、これら両キャビネットの周縁部同士を両面テープで接着して固定された携帯端末を対象とし、以下の解決手段を講じたものである。
【００１０】
すなわち、本発明は、正面側キャビネット及び背面側キャビネットのうち少なくとも一方のキャビネットに、回路基板側に突出した押えリブが設けられた構成を有する。押えリブは、その突出端が回路基板に当接することで当該回路基板の前後方向への移動を規制する突出片である。また、回路基板は、押えリブを挿入可能なサイズの孔又は切欠きからなる逃がし部を有する。この回路基板は、正面側キャビネットと背面側キャビネットとの両面テープによる接着時に、逃がし部への押えリブの挿入によって押えリブと当該回路基板との当接を回避する当接回避位置に配置され、これら両キャビネットの接着後に、当接回避位置から押えリブで前後方向への移動が規制される移動規制位置にスライドさせて配置されている。
【００１１】
この構成によると、正面側キャビネットと背面側キャビネットとの両面テープによる接着時に、回路基板を、同基板に形成された逃がし部に押えリブが挿入される当接回避位置に配置させることで、押えリブと回路基板との当接が回避されるようにしたから、押えリブが回路基板に支えて両面テープの圧縮が阻害されることがなく、押えリブと回路基板との間に両面テープの圧縮量を考慮した隙間を設けなくても、両キャビネットの接着部分で両面テープをしっかりと圧縮し押し潰すことが可能になる。これにより、正面側キャビネットと背面側キャビネットとに両面テープによる充分な接着効果を得ることができる。そして、上記の構成によると、正面側キャビネットと背面側キャビネットとの接着後に、回路基板を、押えリブの突出端が当接する移動規制位置へスライドさせることにより、当該回路基板の前後方向への移動を押えリブで規制するようにしたから、回路基板を移動規制位置へ移動させた後においては、回路基板の前後方向への意図しない移動を押えリブで規制することができる。
【発明の効果】
【００１２】
したがって、本発明によれば、回路基板の前後方向への意図しない移動を押えリブで規制しながら、正面側キャビネットと背面側キャビネットとを両面テープでしっかりと接着することができる。
【図面の簡単な説明】
【００１３】
【図１】図１は、本発明の実施形態に係る携帯電話機の分解斜視図である。
【図２】図２（ａ）は、図１のIIA−IIA線相当における携帯電話機の縦断面図であり、図２（ｂ）は、背面側キャビネットと回路基板との関係を正面側から見た状態を示す模式図であり、図２（ｃ）は、図２（ｂ）のIIC−IIC線における断面図である。
【図３】図３（ａ）は、回路基板をスライドさせる前の状態の図２（ａ）対応図であり、図３（ｂ）は、回路基板をスライドさせる前の状態の図２（ｂ）対応図であり、図３（ｃ）は、図３（ｂ）のIIIC−IIIC線における断面図である。
【図４】図４は、本発明の実施形態の変形例１に係る携帯電話機の基板固定手段を示す斜視図である。
【図５】図５（ａ），（ｂ）は、本発明の実施形態の変形例２に係る携帯電話機の基板固定手段を示す模式図であり、図５（ａ）は、回路基板が当接回避位置にあるときの状態を示し、図５（ｂ）は、回路基板が移動規制位置にあるときの状態を示している。
【図６】図６は、本発明の実施形態の変形例３に係る携帯電話機を示す外観斜視図である。
【図７】図７は、本発明の実施形態の変形例４に係る携帯電話機の分解斜視図である。
【図８】図８（ａ），（ｂ）は、図７のVIII−VIII線相当におけるリヤカバーを外した状態にある携帯電話機の縦断面図であり、図８（ａ）は、回路基板をスライドさせる前の状態を示し、図８（ｂ）は、回路基板をスライドさせた後の状態を示している。
【図９】図９（ａ）は、本発明の実施形態の変形例５に係る携帯電話機の図３（ｂ）相当図であり、図９（ｂ）は、この変形例５に係る携帯電話機の図２（ｂ）相当図である。
【発明を実施するための形態】
【００１４】
以下、本発明に係る実施形態を図面に基づいて詳細に説明する。なお、以下の実施形態は、本質的に好ましい例示であって、本発明、その適用物、或いはその用途の範囲を制限することを意図するものではない。なお、本実施形態では、説明の便宜上、携帯電話機について、表示部の画面の法線方向における前側を「正面」、後側を「背面」と称し、上下方向における上側を「上」、下側を「下」と称し、正面側から見たときの左右方向における左側を「左」、右側を「右」と称する。
【００１５】
図１は、この実施形態に係る携帯電話機１の分解斜視図である。図２（ａ）は、図１のIIA−IIA線相当における携帯電話機１の縦断面図である。図２（ｂ）は、背面側キャビネット９と回路基板３５との関係を正面側から見た状態を示す模式図である。図２（ｃ）は、図２（ｂ）のIIC−IIC線における断面図である。
【００１６】
携帯電話機１は、図１に示すように、ストレートタイプのスマートフォンと呼ばれる携帯端末であり、正面視で上下方向に長い略長方形状の扁平な筐体３内に、カードコネクタやマイク（共に不図示）、スピーカ５５、カメラユニット４３、これらの動作を制御する回路基板３５、電池パック３７などの複数の電子部品を収容した構造を有している。
【００１７】
筐体３は、タッチパネル付きの表示部５（図２（ａ）に示す）を表側に収容する正面側キャビネット７と、この正面側キャビネット７を背面側から覆う背面側キャビネット９とで構成されている。表示部５は、例えば液晶表示装置や有機ＥＬ（Electro Luminescence）表示装置からなる。正面側キャビネット７と背面側キャビネット９とは、防水性を有する閉ループ状の両面テープ１１で外周縁部同士を接着することにより固定されていて、両面テープ１１を用いた筐体３の防水構造を採用している。
【００１８】
正面側キャビネット７と背面側キャビネット９とは、ビスで固定されておらず、ビスを留めるためのボスを有しない簡素な構造である。これにより、一方のキャビネットにビス留めのためのボスが設けられている場合に比べて、筐体３内のスペースを広く確保できるので、筐体３に収容する部品の配置やレイアウトの自由度が高くなっている。
【００１９】
また、このように正面側キャビネット７と背面側キャビネット９とが両面テープ１１で固定された防水構造では、正面側キャビネット７と背面側キャビネット９との外周縁部間に防水パッキンを挟み込んだ状態でこれら両キャビネット７，９同士をビスで固定する防水構造を採用した場合に比べて、一般的な防水パッキンよりも両面テープ１１の方が薄い分だけ筐体３、ひいては携帯電話機１を薄型化することができる。
【００２０】
正面側キャビネット７は、剛性部材として金属板１５をインサート成形した樹脂成形品である。具体的には、正面側キャビネット７は、矩形板状のステンレス鋼板などの金属板１５と、この金属板１５の外周縁を覆う矩形枠状の樹脂製フレーム部１３とが一体に成形されてなる。このような構成の正面側キャビネット７では、インサートされた金属板１５により強度が増し、全体の厚さを薄くしながら強度が確保されている。
【００２１】
正面側キャビネット７のフレーム部１３は、背面側に壁状に突出した内側周壁部１７を構成している。この内側周壁部１７は、正面側キャビネット７の外周縁部の全周に亘って延びており、左右方向に互いに平行に延びる一対の側壁部、つまり正面側キャビネット７のうち上縁部に設けられた上壁部１７ａ及び下縁部に設けられた下壁部１７ｂと、上下方向に互いに平行に延びる一対の側壁部、つまり正面側キャビネット７のうち左縁部に設けられた左壁部１７ｃ及び右縁部に設けられた右壁部１７ｄとからなる。
【００２２】
正面側キャビネット７の金属板１５には、上下方向における中程位置で左右両側に、当該金属板１５の一部を背面側に切り起こして形成されたバネ性を有する板バネ片１９が基板固定手段として１つずつ設けられている。板バネ片１９は、金属板１５に形成された貫通孔２１が背面視でＵ字状となるように当該貫通孔２１の下縁から内側に張り出し、上下方向に延びている。板バネ片１９のうち、下側に位置する基端は貫通孔２１の下縁と一体に接続され、上側に位置する先端面は背面視で貫通孔２１の内側から上方に臨んでいる。
【００２３】
板バネ片１９は、その長さ方向における中間部分でそれよりも先端側の部分を背面側に曲げ起こすように背面側から見て谷折りに折り曲げられ、さらに先端寄りの部分で背面側から見て山折りに折り曲げられていて、上記谷折りの折曲げ部分よりも基端側に位置する平坦部１９ａと、この平坦部１９ａから後側上方に向かって延びるように傾斜した傾斜部１９ｂと、この傾斜部１９ｂから平坦部１９ａと平行に延びて突出端を構成する当接部１９ｃとからなる。この板バネ片１９は、金属板１５を切欠き加工することで矩形状の舌片部を形成し、この舌片部を背面側に突出させるように折曲げ加工して形成される。
【００２４】
他方、背面側キャビネット９は、平面視で正面側キャビネット７と略同一外形を有する浅い矩形皿状の樹脂成形品であり、携帯電話機１の背面を構成する後壁部２３と、この後壁部２３の外周縁部から正面側に壁状に突出した外側周壁部２５とで構成されている。
【００２５】
背面側キャビネット９の後壁部２３の正面側には、図示しないが導電部であるアンテナパターンが設けられている。このアンテナパターンは、ＬＤＳ（Laser Direct Structuring）と呼ばれる鍍金技術や印刷などの手法で形成された金属パターンであって、携帯電話機１の通信用アンテナとして機能する。また、後壁部２３のうち上端寄りの部分には、カメラユニット４３のレンズを露出させるカメラ用開口２７と、回路基板３５を部分的に露出させるスライド用開口２８とが形成されている。そして、後壁部２３の背面側には、これら両開口２７，２８を覆うように透明な窓パネル２９が取り付けられている。
【００２６】
背面側キャビネット９の外側周壁部２５は、後壁部２３における外周縁部の全周に亘って延びており、左右方向に互いに平行に延びる一対の側壁部、つまり背面側キャビネット９のうち上縁部に設けられた上壁部２５ａ及び下縁部に設けられた下壁部２５ｂと、上下方向に互いに平行に延びる一対の側壁部、つまり背面側キャビネット９のうち左縁部に設けられた左壁部２５ｃ及び右縁部に設けられた右壁部２５ｄとからなる。
【００２７】
これら外側周壁部２５を構成する上下左右の側壁部２５ａ，２５ｂ，２５ｃ，２５ｄは、正面側キャビネット７の内側周壁部１７の後端面と対向する接着面部３１と、この接着面部３１の外周縁から正面側に延びて内側周壁部１７の外側に沿って配置される側面部３３とを有する（上下の側壁部２５ａ，２５ｂについては図２（ａ）参照）。そして、背面側キャビネット９は、外側周壁部２５の側面部３３を正面側キャビネット７の内側周壁部１７の外側面に密着させた状態で、接着面部３１と内側周壁部１７の後端面との間に両面テープ１１を挟み込んでいる。そのことで、正面側キャビネット７と背面側キャビネット９との間の回路基板３５及び電池パック３７などを収容した収容空間Ｓが密封されている。
【００２８】
このように密封された筐体３内において、回路基板３５は正面側キャビネット７の一対の板バネ片１９よりも上側に収容され、電池パック３７はこれら一対の板バネ片１９における基端側の折曲げ部分よりも下側に収容されている。すなわち、回路基板３５と電池パック３７とは、上下方向に並べて携帯電話機１に内蔵されている。
【００２９】
電池パック３７は、リチウムイオン電池やリチウムポリマー電池を包装材でパッケージングしたものであって、平面視で略矩形状に形成されている。この電池パック３７は、上側端部から側方に延び出るフレキシブル配線基板（Flexible Printed Circuit、以下、ＦＰＣと称する）３９を有し、このＦＰＣ３９が回路基板３５に接続されていることで、同基板３５に給電可能になっている。ＦＰＣ３９は、後述する回路基板３５のスライド幅を考慮してゆとりのある長さで設けられている。
【００３０】
回路基板３５には、下端部の右寄り部分に電池パック３７のＦＰＣ３９が接続されるコネクタ４１が設けられ、上側部分にカメラユニット４３がレンズを背面側に向けた状態で組み込まれている。また、回路基板３５の前面、つまり同基板３５の正面側キャビネット７側の面には、トランジスタ、アンプ、ダイオード、スイッチ等の半導体素子や抵抗素子、コンデンサ素子、インダクタ素子等の図示しない多数の回路部品と、これらのうち少なくとも一部の回路部品を覆うシールドケース４５と、回路基板３５から背面側キャビネット９のアンテナパターンに給電を行う第２端子である給電端子４７と、回路基板３５に接地電位を供給する第２端子である接地端子４９とが実装されている。これら多数の回路部品及び端子４７，４９は勿論、シールドケース４５も回路基板３５の一部である。
【００３１】
この回路基板３５は、シールドケース４５が正面側キャビネット７の金属板１５に当接していると共に、背面側キャビネット９の内部構造によって背面側への移動が規制された状態、つまり前後方向への移動が制限された状態に収容されている。
【００３２】
具体的には、背面側キャビネット９には、図２（ａ），（ｂ）に示すように、同キャビネット９の後壁部２３から回路基板３５側に突出する押えリブ５１が、背面側キャビネット９の左右両側の各側壁部２５ｃ，２５ｄにおける上側部分に沿って互いに間隔をあけて複数（図示する例では３つずつ）設けられている。これら各押えリブ５１は、背面側キャビネット９の対応する側壁部２５ｃ，２５ｄと一体に形成され、当該側壁部２５ｃ，２５ｄから背面側キャビネット９の内方に張り出している。そして、複数の押えリブ５１は、図２（ｃ）に示すように、各々の突出端、つまり回路基板３５側に位置する先端が背面側から回路基板３５に当接するか、又は回路基板３５と僅かな隙間をあけた位置にまで延びている。そのことで、携帯電話機１を地面や床に落とした衝撃などで回路基板３５に背面側へ移動させる力が働いたときには、これら押えリブ５１が回路基板３５に当接してその移動を規制するようになっている。
【００３３】
さらに、回路基板３５の上端面は、筐体３の上壁部、すなわち正面側キャビネット７及び背面側キャビネット９の上壁部１７ａ，２５ａのうち少なくとも一方の上壁部に内側から当接していると共に、回路基板３５のシールドケース４５の下端面には、正面側キャビネット７の一対の板バネ片１９のうち当接部１９ｃの先端面が当接している。これによって、回路基板３５は、上下方向への移動が制限され、筐体３の上壁部と一対の板バネ片１９との間で固定されている。
【００３４】
また、回路基板３５は、左右両側の側端部のうち各押えリブ５１に対応する箇所から上側に数ｍｍ程度外れた部分に、当該押えリブ５１を挿入可能なサイズの切欠きからなる逃がし部５３を有している。この逃がし部５３は、回路基板３５における左右両側の側端部に個々の押えリブ５１と一対一で対応するように複数形成されている。図２（ｂ）に示すように、回路基板３５の右側端部に形成された逃がし部５３は、正面視で押えリブ５１よりも一回り大きな形状で右側方に開放され、同基板３５の左側端部に形成された逃がし部５３は、正面視で押えリブ５１よりも一回り大きな形状で左側方に開放されている。
【００３５】
そして、上記回路基板３５は、後に詳述するが、正面側キャビネット７と背面側キャビネット９との両面テープ１１による接着時に、逃がし部５３が押えリブ５１と前後方向において対応し、逃がし部５３への押えリブ５１の挿入によってこの押えリブ５１と当該回路基板３５との当接が回避される当接回避位置（後に参照する図３（ａ）〜（ｃ）に示す位置）に配置され、これら両キャビネット７，９の接着後に、この当接回避位置から上方に向かって押えリブ５１で移動が規制される移動規制位置（図２（ａ）〜（ｃ）に示す位置）にスライドさせることで、当該移動規制位置に配置されている。なお、図２（ａ）〜（ｃ）中の白抜き矢印は、回路基板３５のスライド方向を示している。このことは、後に参照する図５（ｂ）、図８（ｂ）及び図９（ｂ）についても同様である。
【００３６】
給電端子４７は、この回路基板３５のうち背面側キャビネット９側の面に実装され、同キャビネット９側に突出した接続片４７ｂを有する板バネ状の端子である。具体的には、給電端子４７は、回路基板３５に接続される背面視で略コ字状の実装面部４７ａと、この実装面部４７ａの内周縁から斜め後方に向かって延びる片持ち梁状の接続片４７ｂとで構成され、接続片４７ｂの突出端が背面側キャビネット９のアンテナパターンに弾性的に当接することで、同パターンと電気的に接続されている。この給電端子４７は、接続片４７ｂを回路基板３５のスライド方向、つまり上下方向に沿わせ、この接続片４７ｂの突出端を回路基板３５のスライド方向後方、つまり下方に向けた状態で配置されている。
【００３７】
接地端子４９は、回路基板３５のうち正面側キャビネット７側の面に実装され、同キャビネット７側に突出した接続片４９ｂを有する板バネ状の端子であって、上記給電端子４７と同じ構成を有する。すなわち、接地端子４９は、回路基板３５に接続される正面視で略コ字状の実装面部４９ａと、この実装面部４９ａの内周縁から斜め前方に向かって延びる片持ち梁状の接続片４９ｂとで構成されている。そして、接地端子４９は、接続片４９ｂの突出端が正面側キャビネット７の金属板１５に弾性的に当接することで、金属板１５と電気的に接続されている。この接地端子４９も、給電端子４７と同じく接続片４９ｂを上下方向に沿わせ、この接続片４９ｂの突出端を下方に向けた状態で配置されている。
【００３８】
このように給電端子４７及び接地端子４９が接続片４７ｂ，４９ｂを回路基板３５のスライド方向に沿わせた状態で配置されていることで、回路基板３５をスライドさせる際に、そのスライド方向への接続片４７ｂ，４９ｂの変形が防止されるようになっている。すなわち、給電端子４７及び接地端子４９が接続片４７ｂ，４９ｂを回路基板３５のスライド方向に対して例えば９０度交差する方向に沿わせた状態で設けられている場合には、回路基板３５をスライドさせる過程で、接続片４７ｂ，４９ｂにその長さ方向と交差する方向へ変形させる力が加わり、これに起因して接続片４７ｂ，４９ｂが変形し兼ねない。これに対し、本実施形態の構成によれば、これら両端子４７，４９の接続片４７ｂ，４９ｂに上述のような力が加わらず、接続片４７ｂ，４９ｂが変形することを防止できる。
【００３９】
また、正面側キャビネット７と回路基板３５との間には、スピーカ５５が設けられている。スピーカ５５は、回路基板３５側に突出した接続片５７ａを有する板バネ状の第１端子である接続端子５７を備えている。この接続端子５７は、スピーカ５５の左右両側に１つずつ設けられていて、その突出端が回路基板３５の前面に設けられた回路パターンの端子部（不図示）に弾性的に当接することで、回路基板３５と電気的に接続されている。このスピーカ５５は、接続片５７ａを回路基板３５のスライド方向、つまり上下方向に沿わせ、この接続片５７ａの突出端を回路基板３５のスライド方向前方、つまり上方に向けた状態で配置されている。
【００４０】
このようにスピーカ５５が接続片５７ａを回路基板３５のスライド方向に沿わせた状態に設けられていることで、回路基板３５をスライドさせる際に、スピーカ５５の接続端子５７についても給電端子４７及び接地端子４９と同様に、そのスライド方向への接続片５７ａの変形が防止されるようになっている。
【００４１】
次に、上記構成の携帯電話機１の組立て方法について、図２に併せて図３を参照しながら説明する。図３（ａ）は、回路基板３５をスライドさせる前の状態の図２（ａ）対応図である。図３（ｂ）は、回路基板３５をスライドさせる前の状態の図２（ｂ）対応図である。図３（ｃ）は、図３（ｂ）のIIIC−IIIC線における断面図である。
【００４２】
携帯電話機１を組み立てるには、まず、正面側キャビネット７の前面側に表示部５を収容すると共に、同キャビネット７の背面側に回路基板３５、電池パック３７及びその他の電子部品を収容し、電池パック３７のＦＰＣ３９を回路基板３５のコネクタ４１に接続する。このとき、回路基板３５は、図３（ｂ），（ｃ）に示すように各逃がし部５３が押えリブ５１の正面側に対応する当接回避位置に配置させておく。このとき、図３（ａ）に示すように、回路基板３５のシールドケース４５は正面側キャビネット７の一対の板バネ片１９の背面側に配置され、これら各板バネ片１９は、シールドケース４５の前面に当接して正面側に弾性変形し、貫通孔２１内に収められていると共に、回路基板３５の上端面と筐体３の上壁部との間に隙間が形成されていて、回路基板３５を上方へスライドさせることが可能になっている。また、ＦＰＣ３９は、回路基板３５のスライド方向（上下方向）において比較的大きく撓んでいる。
【００４３】
次に、正面側キャビネット７の内側周壁部１７の後端面に両面テープ１１の片面を貼り付け、この両面テープ１１を介して外側周壁部２５の接着面部３１を内側周壁部１７の後端面に突き合わせるように正面側キャビネット７の背面側に背面側キャビネット９を被せて、これら正面側キャビネット７と背面側キャビネット９との間で両面テープ１１を所定の圧力で圧縮し押し潰すことにより、図３（ａ）に示すように、正面側キャビネット７と背面側キャビネット９とを互いに接着させる。
【００４４】
このとき、背面側キャビネット９に設けられた各押えリブ５１は、図３（ｃ）に仮想線で示すように幾分か正面側へ移動するが、対応する逃がし部５３に挿入されることになるので、回路基板３５に当接して支えることはない。したがって、押えリブ５１が回路基板３５に支えて両面テープ１１の圧縮が阻害されることがなく、押えリブ５１と回路基板３５との間に両面テープ１１の圧縮量を考慮した隙間を設けなくても、両キャビネット７，９の接着部分で両面テープ１１をしっかりと圧縮し押し潰すことが可能になる。これにより、正面側キャビネット７と背面側キャビネット９とに両面テープ１１による充分な接着効果を得ることができる。
【００４５】
続いて、背面側キャビネット９のスライド用開口２８を利用して、この開口２８から部分的に露出した回路基板３５を、図３（ａ），（ｂ）に示す当接回避位置から上方へ図２（ａ），（ｂ）に示す移動規制位置にスライドさせる。このとき、ＦＰＣ３９は回路基板３５のスライド幅を考慮した長さで設けられているので、スライド方向における撓みが緩和されるもののスライドに起因して突っ張ることがない。
【００４６】
このスライド作業は、例えば、回路基板３５に形成された凹部や孔などにピン状の治具などを引っ掛けて行うことができる。回路基板３５が移動規制位置にスライドされると、回路基板３５の上端面が筐体３の上壁部に当接すると共に、正面側キャビネット７の各板バネ片１９が背面側に弾性復帰しその当接部１９ｃの先端面がシールドケース４５の下端面、つまり回路基板３５のうちスライド方向後方に臨む端面に当接した状態となって、回路基板３５が移動規制位置に固定される。こうして移動規制位置に固定された回路基板３５は、背面側への意図しない移動が押えリブ５１で規制される。
【００４７】
しかる後、背面側キャビネット９に、カメラ用開口２７及びスライド用２８を塞ぐように窓パネル２９を取り付ける。以上の工程を経て、携帯電話機１を組み立てることができる。
【００４８】
この実施形態によると、回路基板３５の背面側への意図しない移動を背面側キャビネット９に設けられた押えリブ５１で規制しながら、正面側キャビネット７と背面側キャビネット９とを両面テープ１１でしっかりと接着することができる。
【００４９】
−実施形態の変形例１−
図４は、この変形例１に係る携帯電話機１における基板固定手段を示す斜視図である。上記実施形態では、基板固定手段として正面側キャビネット７の金属板１５に回路基板３５のシールドケース４５に支える一対の板バネ片１９を設けた形態を説明したが、基板固定手段は、これに代えて、図４に示すように、正面側キャビネット７の金属板１５に形成された係止孔６１と、回路基板３５のシールドケース４５の前面部を正面側に切り起こして形成されたバネ性を有する板バネ片６３とで構成されていてもよい。
【００５０】
係止孔６１は、金属板１５の上下方向における中程位置の左右両側に１つずつ設けられている。また、板バネ片６３は、この係止孔６１に対応するようにシールドケース４５の左右両側に１つずつ設けられ、上記実施形態の正面側キャビネット７に設けられた板バネ片１９と同様な構成を有し、先端面を下方に向けるように形成されている。この板バネ片６３は、回路基板３５が当接回避位置に配置されているときには、正面側キャビネット７の金属板１５に当接し、回路基板３５の上方への移動を許容する。一方、板バネ片６３は、回路基板３５が移動規制位置に配置されているときには、係止孔６１と係合することで回路基板３５の上下方向への移動を制限し、回路基板３５を固定するようになっている。
【００５１】
このような構成によっても、回路基板３５をスライドさせた後に移動規制位置で固定することができ、上記実施形態と同様の効果を得ることができる。
【００５２】
−実施形態の変形例２−
図５（ａ），（ｂ）は、この変形例２に係る携帯電話機１の基板固定手段を示す模式図である。図５（ａ）は、回路基板３５が当接回避位置にあるときの状態を示し、図５（ｂ）は、回路基板３５が移動規制位置にあるときの状態を示している。なお、これら図５（ａ），（ｂ）では、背面側キャビネット９の押えリブ５１を仮想線で示している。基板固定手段は、正面側キャビネット７に設けられた一対の板バネ片１９に代えて、図５（ａ），（ｂ）に示すように、正面側キャビネット７のうち回路基板３５のスライド方向と平行に延びる一対の側壁部、つまり左右両側の側壁部１７ｃ，１７ｄにそれぞれ設けられて正面側キャビネット７の内方に突出する係止片６５と、回路基板３５のうち左右方向の両端部にそれぞれ形成された一対の切欠き６７，６８とで構成されていてもよい。
【００５３】
係止片６５は、正面視で三角形状や台形状に形成されている。係止片６５の上面は、左右方向に平行に延びる当接面となっている。さらに、係止片６５の下面は、正面側キャビネット７の内方に向かって上方に延びる傾斜面に形成され、回路基板３５を上方にスライドさせ易くする誘い込み形状を構成している。正面側キャビネット７の左右両側の側壁部１７ｃ，１７ｄのうちこの係止片６５が設けられた部分は、当該側壁部１７ｃ，１７ｄを前後方向に貫通する上下方向に細長い肉抜き孔６９を有し、係止片６５の下面が上方へ押し上げる力を受けると正面側キャビネット７の外側に弾性変形により撓みやすくなっている。
【００５４】
一対の切欠き６７，６８は、回路基板３５が当接回避位置に配置されているときに係止片６５が嵌合して引っ掛かる第１切欠き６７と、回路基板３５が移動規制位置に配置されているときに係止片６５が嵌合して引っ掛かる第２切欠き６８とである。これら第１及び第２切欠き６７，６８は、共に係止片６５に対応する形状、つまり係止片６５の上面及び下面に接する内面を有する形状に形成されていて、互いに上下方向に隣接している。
【００５５】
上記構成の携帯電話機１の組立て作業では、正面側キャビネット７の背面側に回路基板３５を収容する際に、図５（ａ）に示すように、回路基板３５の第１切欠き６７に正面側キャビネット７の係止片６５を嵌合させて、回路基板３５を当接回避位置に配置させる。これにより、正面側キャビネット７と背面側キャビネット９との接着前、つまり回路基板３５をスライドさせる前において、回路基板３５を当接回避位置に固定できる。
【００５６】
次いで、正面側キャビネット７と背面側キャビネット９とを両面テープ１１を用いて接着した後に、図５（ｂ）に示すように、上記実施形態と同様にして回路基板３５を当接回避位置から移動規制位置へスライドさせる。この回路基板３５のスライド過程において、係止片６５の下面は、回路基板３５が移動されていくに従い、第１切欠き６７の内面に押圧されて上方へ押し上げる力を受ける。そして、正面側キャビネット７の左右両側の側壁部１７ｃ，１７ｄのうち係止片６５が設けられた部分は、係止片６５が第１切欠き６７の内面で押圧されるのに応じて正面側キャビネット７の外側に弾性変形により撓む。そのことで、回路基板３５の上方へのスライドが許容され、係止片６５を第２切欠き６８に嵌合させて、回路基板３５を移動規制位置に配置させることができる。
【００５７】
このような構成によっても、回路基板３５をスライドさせた後に移動規制位置で固定することができ、上記実施形態と同様の効果を得ることができる。
【００５８】
−実施形態の変形例３−
図６は、この変形例３に係る携帯電話機１を背面側から見た外観斜視図である。上記実施形態では、背面側キャビネット９の後壁部２３に形成されたスライド用開口２８を利用して回路基板３５をスライドさせるとしたが、回路基板３５は、筐体３の上面部、側面部及び下面部にそれぞれ形成された、筐体３内の収容空間Ｓに通じる開口部７１のうちいずれかの開口部７１を利用して、その開口部７１から部分的に露出した回路基板３５を上方にスライドさせるようになっていても構わない。これら各開口部７１は、メモリカード等のＩＣカードが装着されるコネクタや外部接続用の端子を露出させるための開口部であり、ＩＣカードの挿抜や外部機器への接続を行わないときは、当該開口部７１の側方にヒンジ７３ａを介して取り付けられた防水カバー７３で覆って閉塞される。
【００５９】
−実施形態の変形例４−
図７は、この変形例４に係る携帯電話機１の構成を示す分解斜視図である。図８（ａ），（ｂ）は、図７のVIII−VIII線相当におけるリヤカバー７５を外した状態にある携帯電話機１の縦断面図である。図８（ａ）は、回路基板３５をスライドさせる前の状態を示し、図８（ｂ）は、回路基板３５をスライドさせた後の状態を示している。上記実施形態では、筐体３が正面側キャビネット７と背面側キャビネット９とで構成された形態を説明したが、筐体３は、図７に示すように、正面側キャビネット７及び背面側キャビネット９と、背面側キャビネット９の背面側を覆うリヤカバー７５とで構成されていてもよい。
【００６０】
この変形例４において、回路基板３５は、正面側キャビネット７の金属板１５の略全体に対向するように、つまり筐体３内の収容空間Ｓの上下方向略全域に亘って長く設けられている。背面側キャビネット９には、電池パック３７を収容する略矩形状の収容部７７が形成されている。この収容部７７は、回路基板３５を部分的に露出させる開口部である。電池パック３７は、この収容部７７内で回路基板３５に取り付けられる。リヤカバー７５は、図示しないが、当該カバー７５の外周縁部に設けられた複数の係合爪を背面側キャビネット９に設けられた凹部に係合させることで、背面側キャビネット９に固定される。
【００６１】
リヤカバー７５の正面側には、矩形枠状の防水用リブ７６が設けられている。この防水用リブ７６は、電池パック３７の外形よりも一回り大きい内周を有し、リヤカバー７５から正面側に突出した突条部が弾性を有するゴム製の防水パッキンで覆われてなる。防水パッキンの外周面には、膨出部が設けられていて、この膨出部が、背面側キャビネット９の収容部７７の内周面に押し付けられていることにより、防水用リブ７６と収容部７７の内周面との間が防水パッキンで密封されている。そのことで、電池パック３７を含む筐体３内に収容した電子部品に対する防水性が高められている。なお、携帯電話機１には、この防水用リブ７６に代えて、電池パック３７を背面側から覆う防水シートが外周縁部を収容部７７の開口周縁に接着した状態で設けられることで、防水性が高められていてもよい。
【００６２】
このような構成によると、リヤカバー７５を取り付ける前の状態では、図８（ａ）に示すように、背面側キャビネット９の収容部７７から電池パック３７が露出するので、正面側キャビネット７と背面側キャビネット９とを両面テープ１１で接着した後に、図８（ｂ）に示すように、収容部７７を利用して電池パック３７ともども回路基板３５を簡単に上方へスライドさせることができる。リヤカバー７５は、回路基板３５を移動規制位置にスライドさせた後に取り付ければよい。なお、回路基板３５は、同基板３５に電池パック３７を取り付ける前にスライドさせてもよい。
【００６３】
−実施形態の変形例５−
図９（ａ）は、この変形例５に係る携帯電話機１の図３（ｂ）相当図であり、図９（ｂ）は、この変形例５に係る携帯電話機の図２（ｂ）相当図である。上記実施形態では、押えリブ５１が背面側キャビネット９の左右両側の側壁部２５ｃ，２５ｄに沿ってこの側壁部２５ｃ，２５ｄと一体に設けられ、回路基板３５に形成された各逃がし部５３が切欠きからなるとしたが、図５（ａ），（ｂ）に示すように、背面側キャビネット９の後壁部２３の左右方向における中央部にも押えリブ５１が設けられ、この押えリブ５１を挿入可能なサイズの孔からなる逃がし部５３が回路基板３５に設けられていてもよい。
【００６４】
このような構成によると、回路基板３５の背面側への移動を同基板３５の左右方向における中央部においても規制することができ、回路基板３５の移動をよりいっそう確実に制限することができる。その他については、上記実施形態と同様の効果を得ることができる。
【００６５】
なお、上記実施形態では、正面側キャビネット７と背面側キャビネット９とが両面テープ１１を用いた接着だけで固定された形態を説明したが、本発明はこれに限らず、これら両キャビネット７，９は、上記両面テープ１１を用いた接着による固定を、ネジ止めや、クリップ、ピンによる固定等の他の固定方法と併用しても構わない。
また、上記実施形態では、押えリブ５１は背面側キャビネット９の左右両側の側壁部２５ｃ，２５ｄと一体に設けられるとしたが、これに限らず、正面側キャビネット７の左右両側の内側周壁部１７ｃ，１７ｄに押えリブ５１が設けられてもよく、その場合、その他の回路部品を含む構成は正面側と背面側との配置を各々適宜入れ替えればよい。さらに、押えリブ５１は背面側キャビネット９の上下両側の側壁部２５ａ，２５ｂ、正面側キャビネット７の上下両側の側壁部１７ａ，１７ｂと一体に設けられてもよいし、背面側キャビネット９の後壁部２３に設けられてもよい。
【００６６】
また、上記実施形態では、回路基板３５のシールドケース４５が正面側キャビネット７の金属板１５に当接していることで回路基板３５の正面側への移動が規制される例を示したが、本発明はこれに限定されるものではなく、シールドケース４５以外の構成が回路基板３５に当接することで、回路基板３５の正面側への移動を規制する構成としてもよい。例えば、正面側キャビネット７に回路基板３５側に突出する支持リブを設け、その支持リブで回路基板３５を正面側から支持させることによっても、回路基板３５の正面側への移動を規制することができる。この場合、支持リブは、回路基板３５が当接回避位置にあるときも移動規制位置にあるときも、回路基板３５の逃がし部５３と前後方向に対応せず、逃がし部５３に挿入されない位置に設けられる。また、正面側キャビネット７に押えリブ５３を設ける場合には、背面側キャビネット９に上記支持リブを設ける構成としてもよい。
【００６７】
また、上記実施形態では、正面側キャビネット７と回路基板３５との間に設けられたスピーカ５５を例に挙げて回路基板３５に当接する板バネ状の接続端子を備えた電子部品の配置状態について説明したが、このような電子部品は、背面側キャビネット９と回路基板３５との間に設けられていてもよく、その場合にも、接続端子の変形を防止する観点から、当該接続端子のうち回路基板３５側に突出した接続片を回路基板３５のスライド方向に沿わせ、その接続片の突出端を回路基板３５のスライド方向前方に向けた状態で配置されていることが好ましい。
【００６８】
また、上記実施形態では、本発明に係る携帯端末について、携帯電話機１を例に挙げて説明したが、本発明はこれに限らず、ＰＨＳ（Personal Handy-phone System）、ＰＤＡ（Personal Digital Assistant）、パソコン、モバイルツール、電子辞書、電卓、ゲーム機などのその他の携帯端末にも適用することが可能である。
【符号の説明】
【００６９】
１  携帯電話機（携帯端末）、３  筐体、５  表示部、７  正面側キャビネット、９  背面側キャビネット、１１  両面テープ、１５  金属板、１９  板バネ片（基板固定手段）、３５  回路基板、４５  シールドケース、４７  給電端子（第２端子）、４７ｂ  接続片、４９  接地端子（第２端子）、４９ｂ  接続片、５１  押えリブ、５３  逃がし部、５７  接続端子（第１端子）、５７ａ  接続片、６１  係止孔（基板固定手段）、６３  板バネ片（基板固定手段）、６５  係止片（基板固定手段）、６８  第２切欠き（基板固定手段）
【図１】
2015103869.tif 000003
【図２】
2015103869.tif 000004
【図３】
2015103869.tif 000005
【図４】
2015103869.tif 000006
【図５】
2015103869.tif 000007
【図６】
2015103869.tif 000008
【図７】
2015103869.tif 000009
【図８】
2015103869.tif 000010
【図９】
2015103869.tif 000011